(57)【要約】【課題】ダイナミックＴＤＤにおいて、送達確認信号等のフィードバック信号を適切にフィードバックすること。【解決手段】ＵＬ/ＤＬ構成を変更して制御する無線基地局と時間分割複信で通信を行うユーザ端末であって、上りＨＡＲＱのタイミング制御に利用する上りＨＡＲＱ参照用ＵＬ／ＤＬ構成を選択する選択部と、下りデータ信号に対する送達確認信号のフィードバックを所定のＰＵＣＣＨフォーマットを用いて制御する制御部と、を有し、制御部は、上りＨＡＲＱ参照用ＵＬ／ＤＬ構成として、第１の上りＨＡＲＱ参照用ＵＬ／ＤＬ構成を利用する場合には上りＵＬサブフレームに対する下りデータ信号の送信数とＤＡＩに基づいてＰＵＣＣＨフォーマットを決定し、第２の上りＨＡＲＱ参照用ＵＬ／ＤＬ構成を利用する場合にはＤＡＩに関わらずＵＬサブフレームに対する下りデータ信号の送信数に基づいてＰＵＣＣＨフォーマットを決定する。【選択図】図５
2015139106.tif 000002
【特許請求の範囲】
【請求項１】
ＵＬ/ＤＬ構成を変更して制御する無線基地局と時間分割複信で通信を行うユーザ端末であって、
上りＨＡＲＱのタイミング制御に利用する上りＨＡＲＱ参照用ＵＬ／ＤＬ構成を選択する選択部と、
下りデータ信号に対する送達確認信号のフィードバックを所定のＰＵＣＣＨフォーマットを用いて制御する制御部と、を有し、
前記制御部は、上りＨＡＲＱ参照用ＵＬ／ＤＬ構成として、第１の上りＨＡＲＱ参照用ＵＬ／ＤＬ構成を利用する場合には上りＵＬサブフレームに対する下りデータ信号の送信数とＤＡＩ（Downlink  Assignment  Index）に基づいてＰＵＣＣＨフォーマットを決定し、第２の上りＨＡＲＱ参照用ＵＬ／ＤＬ構成を利用する場合にはＤＡＩに関わらずＵＬサブフレームに対する下りデータ信号の送信数に基づいてＰＵＣＣＨフォーマットを決定することを特徴とするユーザ端末。
【請求項２】
前記第１の上りＨＡＲＱ参照用ＵＬ／ＤＬ構成はＬＴＥシステムのＴＤＤで利用するＵＬ／ＤＬ構成１〜６のいずれかであり、前記第２の上りＨＡＲＱ参照用ＵＬ／ＤＬ構成はＬＴＥシステムのＴＤＤで利用するＵＬ／ＤＬ構成０であることを特徴とする請求項１に記載のユーザ端末。
【請求項３】
前記制御部は、ＰＵＣＣＨフォーマット３が設定されると共に、上りＨＡＲＱ参照用ＵＬ／ＤＬ構成として、第２の上りＨＡＲＱ参照用ＵＬ／ＤＬ構成が設定されている場合、ＵＬサブフレームに対応する下りデータ信号の送信数が１である場合にＰＵＣＣＨフォーマット３からＰＵＣＣＨフォーマット１ａ／１ｂに変更することを特徴とする請求項１又は請求項２に記載のユーザ端末。
【請求項４】
前記選択部は、無線基地局から送信されるシステム情報に基づいて所定の上りＨＡＲＱ参照用ＵＬ／ＤＬ構成を選択することを特徴とする請求項１から請求項３のいずれかに記載のユーザ端末。
【請求項５】
前記制御部は、上りＨＡＲＱ参照用ＵＬ／ＤＬ構成として、第２の上りＨＡＲＱ参照用ＵＬ／ＤＬ構成を利用する場合に、ＰＵＣＣＨフォーマット３を利用することを特徴とする請求項１に記載のユーザ端末。
【請求項６】
ＵＬ／ＤＬ構成を変更して制御する無線基地局に時間分割複信で通信するユーザ端末の無線通信方法であって、
前記ユーザ端末は、前記無線基地局から送信される情報に基づいて、上りＨＡＲＱのタイミング制御に利用する上りＨＡＲＱ参照用ＵＬ／ＤＬ構成を選択する工程と、下りデータ信号に対する送達確認信号のフィードバックを所定のＰＵＣＣＨフォーマットを用いて制御する工程と、を有し、
上りＨＡＲＱ参照用ＵＬ／ＤＬ構成として、第１の上りＨＡＲＱ参照用ＵＬ／ＤＬ構成を利用する場合には上りＵＬサブフレームに対する下りデータ信号の送信数とＤＡＩ（Downlink  Assignment  Index）に基づいてＰＵＣＣＨフォーマットを決定し、第２の上りＨＡＲＱ参照用ＵＬ／ＤＬ構成を利用する場合にはＤＡＩに関わらずＵＬサブフレームに対する下りデータ信号の送信数に基づいてＰＵＣＣＨフォーマットを決定することを特徴とする無線通信方法。
【請求項７】
ＵＬ/ＤＬ構成を変更して制御する無線基地局と時間分割複信で通信を行うユーザ端末であって、
下りＨＡＲＱのタイミング制御に利用する下りＨＡＲＱ参照用ＵＬ／ＤＬ構成を選択する選択部と、
下りデータ信号に対する送達確認信号のフィードバックをＰＵＣＣＨフォーマット１ｂに基づくチャネルセレクションを用いて制御する制御部と、を有し、
前記制御部は、設定されるＵＬ／ＤＬ構成のＤＬサブフレームの中で、下りＨＡＲＱ参照用ＵＬ／ＤＬ構成のＵＬサブフレームに対応するＤＬサブフレーム数に基づいて、ＰＵＣＣＨフォーマット１ｂに基づくチャネルセレクションにおけるＰＵＣＣＨリソース候補数の設定を制御することを特徴とするユーザ端末。
【請求項８】
前記選択部は、下りＨＡＲＱ参照用ＵＬ／ＤＬ構成として、ＬＴＥシステムのＴＤＤで利用するＵＬ／ＤＬ構成２、４、５のいずれかを選択することを特徴とする請求項７に記載のユーザ端末。
【請求項９】
ユーザ端末と時間分割複信で通信すると共にＵＬ／ＤＬ構成を変更して制御する無線基地局であって、
ユーザ端末に設定するＵＬ／ＤＬ構成と、下りＨＡＲＱのタイミング制御に利用する下りＨＡＲＱ参照用ＵＬ／ＤＬ構成を決定する決定部と、
下りＨＡＲＱ参照用ＵＬ／ＤＬ構成に関する情報をユーザ端末に送信する送信部と、
ユーザ端末からフィードバックされる送達確認信号を受信する受信部と、を有し、
前記受信部は、ユーザ端末に設定したＵＬ／ＤＬ構成のＤＬサブフレームの中で、下りＨＡＲＱ参照用ＵＬ／ＤＬ構成のＵＬサブフレームに対応するＤＬサブフレーム数に基づいて決定されたＰＵＣＣＨリソース候補数の送達確認信号を受信することを特徴とする無線基地局。
【請求項１０】
ＵＬ／ＤＬ構成を変更して制御する無線基地局に時間分割複信で通信するユーザ端末の無線通信方法であって、
前記ユーザ端末は、下りＨＡＲＱのタイミング制御に利用する下りＨＡＲＱ参照用ＵＬ／ＤＬ構成を選択する工程と、下りデータ信号に対する送達確認信号のフィードバックをＰＵＣＣＨフォーマット１ｂに基づくチャネルセレクションを用いて制御する工程と、を有し、
設定されるＵＬ／ＤＬ構成のＤＬサブフレームの中で、下りＨＡＲＱ参照用ＵＬ／ＤＬ構成のＵＬサブフレームに対応するＤＬサブフレーム数に基づいて、ＰＵＣＣＨフォーマット１ｂに基づくチャネルセレクションにおけるＰＵＣＣＨリソース候補数の設定を制御することを特徴とする無線通信方法。
【発明の詳細な説明】
【技術分野】
【０００１】
本発明は、次世代の通信システムに適用可能なユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。また、ＬＴＥからのさらなる広帯域化及び高速化を目的として、ＬＴＥの後継システム（例えば、ＬＴＥアドバンスト又はＬＴＥエンハンスメントと呼ぶこともある（以下、「ＬＴＥ−Ａ」という））も検討され、仕様化されている。
【０００３】
ＬＴＥ、ＬＴＥ−Ａシステムの無線通信における複信形式として、上りリンク（ＵＬ）と下りリンク（ＤＬ）を周波数で分割する周波数分割複信（ＦＤＤ）と、上りリンクと下りリンクを時間で分割する時間分割複信（ＴＤＤ）とがある。ＴＤＤの場合、上りリンクと下りリンクの通信に同じ周波数領域が適用され、一つの送受信ポイントから上りリンクと下りリンクが時間で分けられて信号の送受信が行われる。
【０００４】
ＬＴＥシステムのＴＤＤにおいては、上りサブフレーム（ＵＬサブフレーム）と下りサブフレーム（ＤＬサブフレーム）間の送信比率が異なる複数のフレーム構成（UL/DL  configuration（ＵＬ／ＤＬ構成））が規定されている。具体的には、図１に示すように、ＵＬ／ＤＬ構成０〜６の７つのフレーム構成が規定されており、サブフレーム＃０と＃５は下りリンクに割当てられ、サブフレーム＃２は上りリンクに割当てられる。また、各ＤＬサブフレームで送信される下り共有チャネル（ＰＤＳＣＨ）に対する送達確認信号（ＨＡＲＱ）は、各ＵＬ／ＤＬ構成毎に規定された所定のＵＬサブフレームを用いてフィードバックされる。
【先行技術文献】
【非特許文献】
【０００５】
【非特許文献１】3GPP  TS  36.300“Evolved  UTRA  and  Evolved  UTRAN  Overall  description”
【発明の概要】
【発明が解決しようとする課題】
【０００６】
一般に、ＤＬのトラヒックとＵＬのトラヒックの比率は一定ではなく、時間的に、あるいは、場所的に変動する。そのため、ＴＤＤを適用する場合、無線リソースの有効利用という観点では、図１に示したＵＬ／ＤＬ構成は固定されるのではなく、実際のトラヒックの変動に応じて時間的に、あるいは、場所的に変更することが望ましい。
【０００７】
そこで、ＬＴＥ−Ａシステム（Ｒｅｌ．１２）以降のＴＤＤでは、送受信ポイント（無線基地局、セルであってもよい）毎にＤＬサブフレームとＵＬサブフレームの送信比率を時間領域で動的（Dynamic）又は準静的（Semi-static）に変更すること（dynamic  time  configuration  scenario）が検討されている。
【０００８】
しかし、既存のＬＴＥシステムでは、各ＤＬサブフレームにそれぞれ対応するフィードバック信号（送達確認信号等）は、所定のＵＬサブフレームで送信されるように規定されている。そのため、ＵＬ／ＤＬ構成が変更した際にＵＬ／ＤＬ構成変更前のフィードバックタイミングをそのまま適用すると、ＵＬ／ＤＬ構成変更後の無線フレームにおいて送達確認信号等を適切に送信できなくなるおそれがある。
【０００９】
また、ＴＤＤでは、ユーザ端末は上り制御チャネル（ＰＵＣＣＨ）を用いて送達確認信号をフィードバックする場合、利用するＵＬ／ＤＬ構成等に基づいて所定のＰＵＣＣＨフォーマットを選択する。そのため、動的にＵＬ／ＤＬ構成を変更するＴＤＤ（ダイナミックＴＤＤ）において、どのようにＰＵＣＣＨフォーマットを選択して、送達確認信号のフィードバックを制御するかなどの課題がある。
【００１０】
本発明はかかる点に鑑みてなされたものであり、ダイナミックＴＤＤにおいて、送達確認信号等のフィードバック信号を適切にフィードバックすることができるユーザ端末、無線基地局及び無線通信方法を提供することを目的とする。
【課題を解決するための手段】
【００１１】
本発明のユーザ端末は、ＵＬ/ＤＬ構成を変更して制御する無線基地局と時間分割複信で通信を行うユーザ端末であって、上りＨＡＲＱのタイミング制御に利用する上りＨＡＲＱ参照用ＵＬ／ＤＬ構成を選択する選択部と、下りデータ信号に対する送達確認信号のフィードバックを所定のＰＵＣＣＨフォーマットを用いて制御する制御部と、を有し、前記制御部は、上りＨＡＲＱ参照用ＵＬ／ＤＬ構成として、第１の上りＨＡＲＱ参照用ＵＬ／ＤＬ構成を利用する場合には上りＵＬサブフレームに対する下りデータ信号の送信数とＤＡＩ（Downlink  Assignment  Index）に基づいてＰＵＣＣＨフォーマットを決定し、第２の上りＨＡＲＱ参照用ＵＬ／ＤＬ構成を利用する場合にはＤＡＩに関わらずＵＬサブフレームに対する下りデータ信号の送信数に基づいてＰＵＣＣＨフォーマットを決定することを特徴とする。
【発明の効果】
【００１２】
本発明によれば、ダイナミックＴＤＤにおいて、送達確認信号等のフィードバック信号を適切にフィードバックすることができる。
【図面の簡単な説明】
【００１３】
【図１】ＴＤＤにおけるＵＬ／ＤＬ構成の一例を説明するための図である。
【図２】ＴＤＤにおける各ＤＬサブフレームに対応するＰＵＣＣＨリソースの割当て方法を説明するための図である。
【図３】ＵＬ／ＤＬ構成を変更する場合の一例を示す図である。
【図４】ＵＬ／ＤＬ構成の変更に応じて、各ＤＬサブフレームの上り制御信号のフィードバックメカニズムを変更する一例を示す図である。
【図５】第１の態様におけるＰＵＣＣＨフォーマット選択の一例を示す図である。
【図６】各ＵＬ／ＤＬ構成のＵＬサブフレームに対するＤＬサブフレームを示す図である。
【図７】ＴＤＤにおけるＭ＝４のテーブルの一例を示す図である。
【図８】第２の態様におけるチャネルセレクションのマッピング方法の一例を示す図である。
【図９】変形例におけるＡ／Ｎバンドリングの一例を示す図である。
【図１０】本実施の形態に係る無線通信システムの一例を示す概略図である。
【図１１】本実施の形態に係る無線基地局の全体構成の説明図である。
【図１２】本実施の形態に係る無線基地局の機能構成の説明図である。
【図１３】本実施の形態に係るユーザ端末の全体構成の説明図である。
【図１４】本実施の形態に係るユーザ端末の機能構成の説明図である。
【発明を実施するための形態】
【００１４】
まず、時間分割複信（ＴＤＤ）において、所定の上りサブフレームのＰＵＣＣＨを介して下りデータ信号（ＰＤＳＣＨ信号）に対する送達確認信号（ＨＡＲＱ−ＡＣＫ、あるいはＡＣＫ／ＮＡＣＫとも呼ぶ）をフィードバックする方法について、図２を参照して説明する。
【００１５】
図２Ａは、ＴＤＤ（ここでは、UL/DL  Configuration2（以下、「ＤＬ／ＵＬ構成２」とも記す））における無線フレーム構成を示している。また、図２Ｂは、複数のＤＬサブフレームに対する送達確認信号をＰＵＣＣＨフォーマットに基づくチャネルセレクションを適用する場合の模式図を示している。
【００１６】
図２Ａにおいては、左から５番目〜９番目におけるＤＬサブフレーム及び特別サブフレーム（以下、単に「ＤＬサブフレーム」とも記す）の下りデータ信号に対する送達確認信号を、左から１３番目のＵＬサブフレームのＰＵＣＣＨに割当ててフィードバックする場合を示している。左から７番目の特別サブフレーム（Special  subframe）は、上りリンクと下りリンクの切り替えに必要なガード期間を有しており、当該ガード期間を介してＰＤＳＣＨやＰＵＳＣＨ等が割当てられる。図２Ａでは、フィードバックするサブフレーム数が４（Ｍ＝４）であるため、これらを構成するサブフレームの番号ｍは、ｍ＝０、１、２、３となる。なお、図２Ａでは、ｍの番号は、ＤＬサブフレームが特別サブフレームに優先して付されており、左から５番目のサブフレームはｍ＝０、６番目のサブフレームはｍ＝１、７番目のサブフレームはｍ＝３、９番目のサブフレームはｍ＝２となる。なお、サブフレーム番号ｍのナンバリング方法はこれに限られない。なお、以下の説明では、特別サブフレームをＤＬサブフレームとみなして説明する。
【００１７】
各ＤＬサブフレームに対する送達確認信号は、それぞれ１ビット（ＡＣＫ／ＮＡＣＫ）で生成することができる。そのため、４つのＤＬサブフレームの送達確認信号を１つのＵＬサブフレームでフィードバックするには、４ビット必要となる。既存のＬＴＥシステム（Ｒｅｌ．１０）では、ＰＵＣＣＨフォーマット１ｂによる２ビット（ＱＰＳＫ）と、各ＤＬサブフレームに対応するＰＵＣＣＨリソース（チャネル）のチャネル選択による２ビットと、を組み合わせた４ビットを利用している（図２Ｂ参照）。
【００１８】
各ＤＬサブフレームに対応するＰＵＣＣＨリソースは、各ＤＬサブフレームで送信される下り制御信号（ＰＤＣＣＨ）の制御チャネル要素（ＣＣＥ）等に基づいて決定することができる。例えば、図２Ａに示すように、複数のＤＬサブフレームの送達確認信号を所定のＵＬサブフレームを介してフィードバックする場合、各ＤＬサブフレームに対応するＰＵＣＣＨリソース（チャネル）は、下記の式（１）によって決定することができる。
【００１９】
【数１】
2015139106.tif 000003
【００２０】
ＰＵＣＣＨフォーマット１ｂに基づくチャネルセレクション（PUCCH  format  1b  with  channel  selection）では、ＱＰＳＫで表される情報（２ビット）と、各ＤＬサブフレームに対応して確保されるＰＵＣＣＨリソース（チャネル）の選択情報（最大２ビット）を組み合わせて利用する。例えば、図２Ａの場合（Ｍ＝４）には、４つのＤＬサブフレームに対応するＰＵＣＣＨリソース（ｎPUCCH,0〜ｎPUCCH,3）と、ＱＰＳＫで表される情報を組み合わせた最大４ビットを用いて、各ＤＬサブフレームに対する送達確認信号をフィードバックする（図２Ｂ参照）。
【００２１】
このように、PUCCH  format  1b  with  channel  selection（以下、単に「チャネルセレクション」とも記す）では、最大４ビットの送達確認信号をサポートすることができる。ＵＬ／ＤＬ構成を変更しない場合には、１つのＵＬサブフレームに対応するＤＬサブフレーム数は、上記図１に示したＵＬ／ＤＬ構成５を除いて４以下となる。したがって、１つのＵＬサブフレームでフィードバックされる送達確認信号は、ＵＬ／ＤＬ構成５を除いて４ビット以下となる。このため、従来のシステム（Ｒｅｌ．１０等）では、ＵＬ／ＤＬ構成５以外のＵＬ／ＤＬ構成では、チャネルセレクションを適用して送達確認信号のフィードバックを行う。
【００２２】
ところで、上述したように、Ｒｅｌ．１２以降では、送受信ポイント毎にＤＬサブフレームとＵＬサブフレームの送信比率を時間領域で変更するダイナミックＴＤＤ（dynamic  time  configuration  scenario）が検討されている。なお、ダイナミックＴＤＤは、設定されたＵＬ／ＤＬ構成において、ＵＬサブフレームをＤＬサブフレームに変更するように制御することができる。
【００２３】
以下に、一例として、無線基地局が、ＵＬ／ＤＬ構成４を適用している場合に、第３サブフレームをＵＬからＤＬに変更（reconfiguration）する場合（ＵＬ／ＤＬ構成２に相当）について図３を参照して説明する。
【００２４】
ＵＬ／ＤＬ構成が変更されない場合（図３Ａ参照）には、サブフレーム０、１、４、５で送信される各ＰＤＳＣＨ信号に対する送達確認信号は次フレームのサブフレーム２でフィードバックされる。また、サブフレーム６〜９で送信される各ＰＤＳＣＨ信号に対する送達確認信号は次フレームのサブフレーム３でフィードバックされる。
【００２５】
しかし、ＵＬ／ＤＬ構成が変更される場合（図３Ｂ参照）、変更後のＵＬ／ＤＬ構成では、３サブフレーム目がＤＬサブフレームとなる。つまり、ＵＬ／ＤＬ構成の変更に伴い、３サブフレーム目の伝送方向がＵＬからＤＬに変更される。その結果、ユーザ端末は、ＵＬ／ＤＬ構成４のＤＬサブフレーム６〜９に対応する送達確認信号をフィードバックすることができなくなる。
【００２６】
このように、ＵＬ／ＤＬ構成が変更される場合に、Ｒｅｌ．１０における送達確認信号のフィードバックメカニズムをそのまま適用すると、送達確認信号等のフィードバック時に問題が生じる。そこで、ＵＬ／ＤＬ構成が変更される場合に、ＨＡＲＱのタイミングを変更することが検討されている。
【００２７】
具体的には、実際に適用されるＵＬ／ＤＬ構成とは別に、ＨＡＲＱタイミングに利用するＨＡＲＱ参照用ＵＬ／ＤＬ構成（HARQ  reference  configuration）を規定して送達確認信号等のフィードバックを制御することが検討されている。例えば、上りＨＡＲＱ参照用ＵＬ／ＤＬ構成（UL  HARQ  reference  configuration）及び／又は下りＨＡＲＱ参照用ＵＬ／ＤＬ構成（DL  HARQ  reference  configuration）を設定する。
【００２８】
ここで、上りＨＡＲＱ参照用ＵＬ／ＤＬ構成は、ＵＬ  ＨＡＲＱにおいて、ＤＬサブフレームにおける無線基地局からユーザ端末へのＡ／Ｎの送信タイミングに適用する参照用のＵＬ／ＤＬ構成である。なお、ＵＬ  ＨＡＲＱは、ＤＬで無線基地局からユーザ端末にＰＨＩＣＨを介してＡ／Ｎ送信を行い、ＵＬでユーザ端末から無線基地局に再送データ送信を行う動作である。もちろん実際に設定されるＵＬ／ＤＬ構成と上りＨＡＲＱ参照用ＵＬ／ＤＬ構成が同じＵＬ／ＤＬ構成となってもよい。
【００２９】
上りＨＡＲＱ参照用ＵＬ／ＤＬ構成としては、ＵＬサブフレームが多いＵＬ／ＤＬ構成が選択される。また、上りＨＡＲＱ参照用ＵＬ／ＤＬ構成に関する情報は、システム情報（例えば、SIB1  configuration）に含めて通知することができる。
【００３０】
また、下りＨＡＲＱ参照用ＵＬ／ＤＬ構成は、ＤＬ  ＨＡＲＱにおいて、ＵＬサブフレームにおけるユーザ端末から無線基地局へのＡ／Ｎの送信タイミングに適用する参照用のＵＬ／ＤＬ構成である。なお、ＤＬ  ＨＡＲＱは、ＵＬでユーザ端末から無線基地局にＰＵＣＣＨを介してＡ／Ｎ送信を行い、ＤＬで無線基地局からユーザ端末に再送データ送信を行う動作である。もちろん実際に設定されるＵＬ／ＤＬ構成と下りＨＡＲＱ参照用ＵＬ／ＤＬ構成が同じＵＬ／ＤＬ構成となってもよい。
【００３１】
下りＨＡＲＱ参照用ＵＬ／ＤＬ構成としては、ＤＬサブフレームが多いＵＬ／ＤＬ構成（例えば、ＵＬ／ＤＬ構成２、４、５）が選択される。また、下りＨＡＲＱ参照用ＵＬ／ＤＬ構成に関する情報は、上位レイヤシグナリング（例えば、ＲＲＣシグナリング）に含めて通知することができる。
【００３２】
図４では、下りＨＡＲＱ参照用ＵＬ／ＤＬ構成として、ＵＬ／ＤＬ構成５を選択した場合を示している。図４では、ＵＬ／ＤＬ構成変更前の無線フレームにおけるＤＬサブフレーム０、１、４〜８の送達確認信号が、ＵＬ／ＤＬ構成変更後の無線フレームにおけるＵＬサブフレーム２でフィードバックされる。
【００３３】
このように、ＨＡＲＱのタイミングに利用する参照用ＵＬ／ＤＬ構成を設定することにより、ＵＬ／ＤＬ構成を動的に変更する場合であっても、送達確認信号のフィードバックを適切に行うことが可能となる。一方で、上述したようにフィードバックメカニズムを変更する場合、１つのＵＬサブフレームに対応するＤＬサブフレーム数が４より大きくなるおそれがある。例えば、図４に示す場合には、ＵＬ／ＤＬ構成の変更直後の無線フレームにおけるＵＬサブフレーム２を用いて、７つのＤＬサブフレーム０、１、４〜８の送達確認信号をフィードバックする必要がある。
【００３４】
この場合、各ＤＬサブフレームの送達確認信号をそれぞれ１ビットで生成すると、ＵＬサブフレームに対応するＤＬサブフレームが４より大きい場合には、上述したPUCCH  format  1b  with  channel  selectionではサポートできない問題が生じる。また、チャネルセレクションでは、ＰＵＣＣＨリソース（チャネル）を最大４つ確保する必要がある。しかし、１つのＵＬサブフレームに対応するＤＬサブフレームが４より大きい場合には、確保（reserve）するＰＵＣＣＨリソース数が４つより大きくなり、リソースの利用効率が低下する問題が生じる。
【００３５】
この問題を解決する方法として、異なるＰＵＣＣＨフォーマット（例えば送信可能なビット数が大きいＰＵＣＣＨフォーマット３）を適用することが考えられる。ＰＵＣＣＨフォーマット３は、ＬＴＥ−Ａで新たに規定されたＰＵＣＣＨフォーマットであり、多数のＡＣＫ／ＮＡＣＫビット（２０ビット）を伝送することができる。ＰＵＣＣＨフォーマット３では、ＰＤＳＣＨと同様に、信号がＤＦＴ（Discrete  Fourier  Transform）ベースのプリコーディングにより生成され、直交符号（ＯＣＣ：Orthogonal  Cover  Code）により異なるＵＥを多重することができる。
【００３６】
また、ＰＵＣＣＨフォーマット３を適用する場合、送達確認信号を割当てるリソースとして、ユーザ端末にＰＵＣＣＨリソース候補をＲＲＣシグナリングで通知すると共に、特定のＰＵＣＣＨリソース候補を示す識別子（ＡＲＩ：A/N  Resource  Indicator）を下り制御情報に含めて通知する。
【００３７】
しかし、ＰＵＣＣＨフォーマット３を適用する場合、ＰＵＣＣＨフォーマット１ｂを適用する場合と比較してＰＵＣＣＨ送信の信頼性が低下する問題や、シグナリングオーバーヘッドが増加する問題がある。そこで、ダイナミックＴＤＤでは、ＰＵＣＣＨフォーマット３が設定されている場合であっても、所定の条件を満たす場合には、他のＰＵＣＣＨフォーマット（例えば、ＰＵＣＣＨフォーマット１ａ／１ｂ）を適用することが検討されている。
【００３８】
具体的には、ＵＬサブフレームに対するＤＬサブフレーム数（ＰＤＳＣＨ送信数）が１、下り制御チャネルに含まれるＤＡＩが１、及びプライマリセルのＵＬ／ＤＬ構成がＵＬ／ＤＬ構成１〜６の場合にＰＵＣＣＨフォーマット３から他のＰＵＣＣＨフォーマットへ変更する。ＵＬサブフレームに対するＤＬサブフレーム数とは、ＵＬサブフレームに対する下りデータ信号の送信数（つまり、下りデータ信号が送信されるＤＬサブフレーム数）に相当する。
【００３９】
ＤＡＩ（Downlink  Assignment  Index）は、Ａ／Ｎバンドリングが適用されるＴＤＤにおいてＤＬサブフレームのカウンタに利用され、下り制御情報（ＤＣＩ）に含められる。以下に、ＤＡＩについて説明する。
【００４０】
ＴＤＤセルでは複数サブフレームにわたってＤＬサブフレームが割当てられ、複数のＤＬサブフレーム分のＡ／Ｎが１つのＵＬサブフレームでフィードバックされる。この際、複数のＤＬサブフレームの中で、途中のＤＬサブフレームのＤＬ割当て（ＰＤＣＣＨ信号）をユーザ端末が出来なかった場合には、Ａ／Ｎフィードバックを適切に行えなくなる。
【００４１】
例えば、ユーザ端末に対して連続する４つのサブフレーム（ＳＦ＃０〜＃３）においてＤＬ信号が送信される場合を想定する。この場合、ユーザ端末がＳＦ＃１のＤＬ割当て（ＰＤＣＣＨ信号）を検出ミスすると、ユーザ端末はＳＦ＃０、＃２、＃３の３つのサブフレームでＤＬ信号が送信されたと判断する。そのため、ユーザ端末がサブフレーム方向においてＡ／Ｎバンドリングを行うと、これら３つのサブフレーム（ＳＦ＃０、＃２、＃３）がＯＫ（ＡＣＫ）であればＡＣＫをフィードバックすることとなる。このように、ユーザ端末側で検出ミスすると、正しくＤＬ  ＨＡＲＱを行うことができない。
【００４２】
このような問題を解決するために、ＴＤＤでは下り制御情報（ＤＣＩ）中に２ビットのＤＡＩをサポートしている。ＤＡＩは、カウンタの役割をしており、ＤＬ割当て１つ毎に１ずつ値が増加する。つまり、ユーザ端末が途中でＤＬ割当てを検出ミスしている場合、ＤＡＩのカウント値の増加が１でなくなるため、検出ミスを把握することができる。
【００４３】
このように、サブフレーム方向でＡ／Ｎバンドリングの適用が想定されるＴＤＤではＤＡＩがサポートされている。また、ＤＡＩは、複数ＤＬに対して１つのＵＬでＡ／Ｎフィードバックを行うＵＬ／ＤＬ構成１〜６においてサポートされている。つまり、ＴＤＤ  ＵＬ／ＤＬ構成の中でも、ＤＬサブフレーム比率が低い（ＵＬサブフレーム比率が高い）ＵＬ／ＤＬ構成０は、複数ＤＬ分のＡ／Ｎを１つのＵＬサブフレームでフィードバックすることがないため、ＤＡＩはサポートされていない。
【００４４】
そのため、上述したように、ＵＬ／ＤＬ構成１〜６では、ＰＵＣＣＨフォーマット３が設定されている場合であっても、ＵＬサブフレームに対するＤＬサブフレーム数（ＰＤＳＣＨ送信数）が１、且つ、ＤＡＩが１であればＰＵＣＣＨフォーマット１ａ／１ｂを利用することができる。
【００４５】
しかし、本発明者等は、上りＨＡＲＱ参照用ＵＬ／ＤＬ構成として、ＵＬ／ＤＬ構成０が設定される場合、ＤＣＩにＤＡＩが含まれなくなる（ＤＡＩが存在しない）ことに着目した。この場合、実際に設定されるＵＬ／ＤＬ構成がＵＬ／ＤＬ構成０でなくとも、ＤＡＩが存在しないため、ＰＵＣＣＨフォーマット３が設定されていれば、ＵＬサブフレームに対するＤＬサブフレーム数が１であっても他のフォーマット（ＰＵＣＣＨフォーマット１ａ／１ｂ）を利用することができなくなる。
【００４６】
そこで、本発明者等は、本実施の形態の第１の態様として、上りＨＡＲＱのタイミング制御に利用する上りＨＡＲＱ参照用ＵＬ／ＤＬ構成に、ＤＡＩを含む第１の上りＨＡＲＱ参照用ＵＬ／ＤＬ構成を利用する場合には、少なくともＤＡＩに基づいてＰＵＣＣＨフォーマットを決定し、ＤＡＩを含まない第２の上りＨＡＲＱ参照用ＵＬ／ＤＬ構成を利用する場合にはＤＡＩに関わらずＰＵＣＣＨフォーマットを決定することを着想した。なお、第１の上りＨＡＲＱ参照用ＵＬ／ＤＬ構成はＬＴＥシステムのＴＤＤで利用するＵＬ／ＤＬ構成１〜６のいずれかであり、第２の上りＨＡＲＱ参照用ＵＬ／ＤＬ構成はＬＴＥシステムのＴＤＤで利用するＵＬ／ＤＬ構成０とすることができる。以下、第１の態様について詳細に説明する。
【００４７】
（第１の態様）
図５にＵＬ／ＤＬ構成２を用いる場合と、ＵＬ／ＤＬ構成０を用いる場合に選択されるＰＵＣＣＨフォーマットの一例を示す。なお、図５では、下りＨＡＲＱ参照用ＵＬ／ＤＬ構成としてＵＬ／ＤＬ構成２を適用し、上りＨＡＲＱ参照用ＵＬ／ＤＬ構成としてＵＬ／ＤＬ構成０を適用する場合を想定している。実際に設定されるＵＬ／ＤＬ構成は、ＵＬ／ＤＬ構成０であってもよいし、他のＵＬ／ＤＬ構成であってもよい。
【００４８】
図５におけるＵＬ／ＤＬ構成２では、所定のＵＬサブフレーム（サブフレームの先頭から８番目）に対して３つのＤＬサブフレーム（ＰＤＳＣＨ送信数が３）が対応している。なお、ここでは、特別サブフレームもＤＬサブフレームとみなしている。この場合、ユーザ端末は、当該ＵＬサブフレームにおいて、ＰＵＣＣＨフォーマット３を適用してＡ／Ｎ等のフィードバックを行う。
【００４９】
一方で、図５におけるＵＬ／ＤＬ構成０では、所定のＵＬサブフレーム（サブフレームの先頭から８番目）に対して１つのＤＬサブフレーム（ＰＤＳＣＨ送信数が１）が対応している。また、ＵＬ／ＤＬ構成０においては、ＤＡＩがＰＤＣＣＨに設けられていないが、本実施の形態では、ＵＬ／ＤＬ構成０についてＤＡＩに関わらず、ＰＤＳＣＨ送信数に基づいてＰＵＣＣＨフォーマットを選択する。そのため、ここでは、ＰＤＳＣＨ送信数が１であるため、ユーザ端末はＰＵＣＣＨフォーマット３ではなく、ＰＵＣＣＨフォーマット１ａ／１ｂを用いてＡ／Ｎのフィードバックを行う。
【００５０】
このように、本実施の形態では、ダイナミックＴＤＤにおいて、上りＨＡＲＱ参照用ＵＬ／ＤＬ構成として、ＵＬ／ＤＬ構成０（例えば、プライマリセル）が設定される場合に、ＤＡＩに関わらずＰＤＳＣＨ送信数に基づいてＰＵＣＣＨフォーマットを選択する。これにより、ＰＵＣＣＨフォーマット３が設定されている場合に、ＤＣＩにＤＡＩが含まれていない場合であっても、ＰＵＣＣＨフォーマット１ａ／１ｂに変更して適用することができる。その結果、トラフィックロードが低い環境において、ＤＬ送信量が小さいＰＵＣＣＨフォーマットを利用する（ＰＵＣＣＨフォーマット３によるリソース消費を抑制する）ことができるため、システム効率を向上することが可能となる。
【００５１】
なお、上記図５では、ダイナミックＴＤＤを利用するユーザ端末が、ＤＡＩに関わらずＰＵＣＣＨフォーマットを選択する場合を示したが本実施の形態は、これに限られない。例えば、上りＨＡＲＱ参照用ＵＬ／ＤＬ構成として、ＵＬ／ＤＬ構成０が設定される場合には、常にＰＵＣＣＨフォーマット３を利用する構成としてもよい。
【００５２】
また、第１の様態は、ダイナミックＴＤＤに限らず、ＴＤＤを含む他の利用形態（例えば、ＴＤＤ−ＴＤＤ  ＣＡ、ＴＤＤ−ＦＤＤ  ＣＡ等）においても適用してもよい。
【００５３】
（第２の態様）
第２の態様では、下りＨＡＲＱ参照用ＵＬ／ＤＬ構成（DL  HARQ  reference  configuration）が設定された場合のＰＵＣＣＨフォーマット１ｂに基づくチャネルセレクションの制御について説明する。
【００５４】
上述したように、ダイナミックＴＤＤ（ｅＩＭＴＡ）においては、ＨＡＲＱのタイミング用に所定のＵＬ／ＤＬ構成が基準として用いられる。ＵＬ／ＤＬ構成の変更に対応するため、下りＨＡＲＱ用ＵＬ／ＤＬ構成としては、１つのＵＬサブフレームに対応するＤＬサブフレーム数が多い構成が選択されることが想定される。図６Ａは、各ＵＬ／ＤＬ構成において、ＵＬサブフレームに対応するＤＬサブフレームを示している。
【００５５】
ＵＬ／ＤＬ構成２、４、５は、１つのＵＬサブフレームに対して４以上ＤＬサブフレーム（ＰＤＳＣＨ送信数）が対応している。したがって、本発明者等は、ダイナミックＴＤＤにおける下りＨＡＲＱ参照用ＵＬ／ＤＬ構成として、ＵＬ／ＤＬ構成２、４、５を適用することを検討している。この場合、下りＨＡＲＱ参照用ＵＬ／ＤＬ構成２は、実際に設定されるＵＬ／ＤＬ構成０、１、２、６に適用できる（図６Ｂ参照）。また、下りＨＡＲＱ参照用ＵＬ／ＤＬ構成４は、実際に設定されるＵＬ／ＤＬ構成０、１、３、４、６に適用できる。また、下りＨＡＲＱ参照用ＵＬ／ＤＬ構成５は、実際に設定されるＵＬ／ＤＬ構成０、１、２、３、４、５、６に適用できる。
【００５６】
特に、ＵＬ／ＤＬ構成２、４では、１つのＵＬサブフレームに対応するＤＬサブフレーム数は４となるため、Ｍ＝４の場合のＰＵＣＣＨフォーマット１ｂに基づくチャネルセレクションを適用してＡ／Ｎのフィードバックを行う。
【００５７】
ＴＤＤにおけるチャネルセレクションでは、上記式（１）に示したようにＭの数（Ｍ＝２、３又は４）に応じてＡ／Ｎを割当て可能なＰＵＣＣＨリソース候補数が決定される。各Ｍの値に応じて適用するマッピングテーブルがそれぞれ規定されており、ユーザ端末はＭの値に応じてマッピングを制御する。
【００５８】
Ｍ＝４の場合には、４ビットでは全てのＡＣＫ、ＮＡＣＫ、ＤＴＸの組み合わせを規定できないため、同一のＱＰＳＫシンボル及びＰＵＣＣＨリソース候補の組み合わせに対して、複数のＡＣＫ／ＮＡＣＫ／ＤＴＸの組み合わせが重複して規定されている（図７参照）。そのため、Ｍ＝４におけるテーブルを利用してチャネルセレクションを行う場合には、不明確性（ambiguity）が生じる。
【００５９】
本発明者等は、下りＨＡＲＱ参照用ＵＬ／ＤＬ構成として、ＵＬ／ＤＬ構成２、４を利用する場合に、実際に設定されるＵＬ／ＤＬ構成によっては、ＵＬに対応するＤＬサブフレーム数が必ずしも４とならない点に着目した。つまり、ＵＬ／ＤＬ構成２、４の４つのＤＬサブフレーム（特別サブフレーム含む）に対応する領域に、ＤＬサブフレーム数が３以下の場合があることを見出した。
【００６０】
そこで、本発明者等は、ダイナミックＴＤＤにおいて、下りＨＡＲＱのタイミングは当該下りＨＡＲＱ参照用ＵＬ／ＤＬ構成を適用すると共に、チャネルセレクションに適用するマッピング方法として、下りＨＡＲＱ参照用ＵＬ／ＤＬ構成でなく実際に設定されるＵＬ／ＤＬ構成の下りサブフレーム数（Ｍ）に基づいて制御することを見出した。
【００６１】
図８Ａは、第２の態様の一例を示す模式図である。図８Ａでは、実際に設定されるＵＬ／ＤＬ構成がＵＬ／ＤＬ構成１であり、下りＨＡＲＱ参照用ＵＬ／ＤＬ構成として設定されるＵＬ／ＤＬ構成がＵＬ／ＤＬ構成２である場合を示している。この場合、ユーザ端末は、ＵＬ／ＤＬ構成２におけるＤＬ  ＨＡＲＱタイミングを適用してＡ／Ｎのフィードバックを制御する。
【００６２】
具体的には、ＵＬ／ＤＬ構成２のＨＡＲＱタイミングにしたがって、サブフレームの先頭から５〜９に対応するＤＬサブフレーム（特別サブフレームを含む）を所定のＵＬサブフレームでフィードバックする。ＵＬ／ＤＬ構成２では、サブフレームの先頭から５〜９に対応するＤＬサブフレーム数は４（Ｍ＝４）であるのに対し、実際に設定されるＵＬ／ＤＬ構成１では３（Ｍ＝３）となる。
【００６３】
そこで、ユーザ端末は、実際に設定されるＵＬ／ＤＬ構成（ここでは、ＵＬ／ＤＬ構成１）に対するＰＤＳＣＨ送信数に基づいて、チャネルセレクションのマッピング方法を適用する。具体的には、Ｍ＝３に対応するマッピングテーブル（ＰＵＣＣＨリソース候補数）を選択して、チャネルセレクションを行う。
【００６４】
例えば、下りＨＡＲＱ参照用ＵＬ／ＤＬ構成２にしたがってＭ＝４のマッピングテーブルを選択する場合には、同一のＱＰＳＫシンボル及びＰＵＣＣＨリソース候補の組み合わせ（例えば、n(1)PUCCH,1、b(0),b(1)=1,0）に対して、同一のＡＣＫ／ＮＡＣＫ／ＤＴＸの組み合わせが重複して規定される（図８Ｂ参照）。この場合、実際には３つのＤＬサブフレーム分のＡ／Ｎしか送信されない場合であっても、無線基地局は各ＡＣＫ、ＮＡＣＫ、ＤＴＸの状態を明確に判断することが困難となる。
【００６５】
一方、本実施の形態で示すように、チャネルセレクションのマッピング方法（テーブル選択、ＰＵＣＣＨリソース候補設定）を実際に設定されるＵＬ／ＤＬ構成に基づいて制御することにより、Ｍが３以下のマッピングテーブルを利用できる。これにより、チャネルセレクションにおけるＡＣＫ、ＮＡＣＫ、ＤＴＸの状態の不明確性（ambiguity）を抑制し、ＨＡＲＱフィードバックを適切に行うことが可能となる。
【００６６】
なお、図８Ａに示したマッピング方法は、下りＨＡＲＱ参照用ＵＬ／ＤＬ構成がＵＬ／ＤＬ構成２又は４の時に好適に利用することができる。
【００６７】
（変形例）
既存のＬＴＥシステムでは、チャネルセレクションは最大４ビットまでの送達確認信号のサポートまで限定されているため、１つのＵＬサブフレームに対するＤＬサブフレーム数が４より大きくなるＵＬ／ＤＬ構成５ではチャネルセレクションがサポートされていなかった。
【００６８】
しかし、ダイナミックＴＤＤにおいて、実際に設定されるＵＬ／ＤＬ構成の各サブフレームにおいて、ＵＬサブフレームからＤＬサブフレームへの変更のみ許容される場合を想定する。この場合、下りＨＡＲＱ参照用ＵＬ／ＤＬ構成として、実際に設定されるＵＬ／ＤＬ構成をより多くサポートできるのは、ＵＬ／ＤＬ構成５となる（上記図６Ｂ参照）。
【００６９】
そこで、本発明者等は、ダイナミックＴＤＤを適用する場合に、ＵＬ／ＤＬ構成５に対してもチャネルセレクションをサポートするように制御することを見出した。具体的には、ダイナミックＴＤＤにおいて、１つのＵＬサブフレームに対するＤＬサブフレーム数が４より大きい場合に、時間方向（サブフレーム方向）について、少なくとも一部のＡ／Ｎを束ねる（Ａ／Ｎバンドリング）。例えば、下りＨＡＲＱ参照用ＵＬ／ＤＬ構成）としてＵＬ／ＤＬ構成５を利用して、ＰＤＳＣＨ送信数が４より大きくなる場合に、時間方向にわたって配置するＡ／Ｎのバンドリングを行う。また、Ａ／Ｎバンドリングは、コードワード毎に行うことができる。
【００７０】
例えば、図９に示すように、ダイナミックＴＤＤにおいて、ＤＬ  ＨＡＲＱとしてＵＬ／ＤＬ構成５を適用する場合を想定する。この場合、１つのＵＬサブフレームに対して最大９個のＤＬサブフレームが対応する。そのため、ダイナミックＴＤＤにおいて、Ｍ＞４となる場合には、一部のＡ／ＮをバンドリングしてＭを４以下（Ｍ≦４）として、チャネルセレクションを適用する。なお、複数のＤＬサブフレームの中でＡ／Ｎバンドリングを適用するサブフレームや、バンドリング数などは適宜設定することができる。
【００７１】
このように、ダイナミックＴＤＤにおいて、ＵＬ／ＤＬ構成５を下りＨＡＲＱ参照用ＵＬ／ＤＬ構成とする場合であっても、チャネルセレクションを適用することが可能となる。
【００７２】
（無線通信システムの構成）
以下、本実施の形態に係る無線通信システムの一例について、詳細に説明する。
【００７３】
図１０は、本実施の形態に係る無線通信システムの概略構成図である。なお、図１０に示す無線通信システムは、例えば、ＬＴＥシステム或いは、ＳＵＰＥＲ  ３Ｇが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）を適用することができる。また、この無線通信システムは、ＩＭＴ−Ａｄｖａｎｃｅｄと呼ばれても良いし、４Ｇ、ＦＲＡ（Future  Radio  Access）と呼ばれても良い。
【００７４】
図１０に示す無線通信システム１は、マクロセルＣ１を形成する無線基地局１１と、マクロセルＣ１内に配置され、マクロセルＣ１よりも狭いスモールセルＣ２を形成する無線基地局１２ａ及び１２ｂとを備えている。また、マクロセルＣ１及び各スモールセルＣ２には、ユーザ端末２０が配置されている。ユーザ端末２０は、無線基地局１１及び無線基地局１２の双方に接続することができる。また、無線基地局１１と無線基地局１２間で基地局内ＣＡ（Ｉｎｔｒａ−ｅＮＢ  ＣＡ）、又は基地局間ＣＡ（Ｉｎｔｅｒ−ｅＮＢ  ＣＡ）が適用される。また、無線基地局１１と無線基地局１２間のＣＡとしては、ＴＤＤ−ＴＤＤ  ＣＡ又はＴＤＤ−ＦＤＤ  ＣＡ等を適用することができる。
【００７５】
ユーザ端末２０と無線基地局１１との間は、相対的に低い周波数帯域（例えば、２ＧＨｚ）で帯域幅が狭いキャリア（既存キャリア、Legacy  carrier等と呼ばれる）を用いて通信を行うことができる。一方、ユーザ端末２０と無線基地局１２との間は、相対的に高い周波数帯域（例えば、３．５ＧＨｚ等）で帯域幅が広いキャリアが用いられてもよいし、無線基地局１１との間と同じキャリアが用いられてもよい。ユーザ端末２０と無線基地局１２間のキャリアタイプとしてニューキャリアタイプ（ＮＣＴ）を利用してもよい。無線基地局１１と無線基地局１２（又は、無線基地局１２間）は、有線接続（Optical  fiber、Ｘ２インターフェース等）又は無線接続されている。
【００７６】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置３０に接続されてもよい。
【００７７】
なお、無線基地局１１は、相対的に広いカバレッジを有する無線基地局であり、ｅＮｏｄｅＢ、マクロ基地局、送受信ポイントなどと呼ばれてもよい。また、無線基地局１２は、局所的なカバレッジを有する無線基地局であり、スモール基地局、ピコ基地局、フェムト基地局、Ｈｏｍｅ  ｅＮｏｄｅＢ、マイクロ基地局、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００７８】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。
【００７９】
ここで、図１０に示す無線通信システムで用いられる通信チャネルについて説明する。下りリンクの通信チャネルは、各ユーザ端末２０で共有されるＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ、拡張ＰＤＣＣＨ）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ／ＮＡＣＫが伝送される。また、拡張ＰＤＣＣＨ（ＥＰＤＣＣＨ）により、ＰＤＳＣＨ及びＰＵＳＣＨのスケジューリング情報等が伝送されてもよい。このＥＰＤＣＣＨは、ＰＤＳＣＨ（下り共有データチャネル）と周波数分割多重される。
【００８０】
上りリンクの通信チャネルは、各ユーザ端末２０で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨや、ＰＵＳＣＨ（ユーザデータと同時に送信時）により、下りリンクの無線品質情報（ＣＱＩ：Channel  Quality  Indicator）、ＡＣＫ／ＮＡＣＫ等が伝送される。
【００８１】
図１１は、本実施の形態に係る無線基地局１０（無線基地局１１及び１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【００８２】
下りリンクにより無線基地局１０からユーザ端末２０に送信されるユーザデータは、上位局装置３０から伝送路インターフェース１０６を介してベースバンド信号処理部１０４に入力される。
【００８３】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下りリンクの制御チャネルの信号に関しても、チャネル符号化や逆高速フーリエ変換等の送信処理が行われて、各送受信部１０３に転送される。
【００８４】
また、ベースバンド信号処理部１０４は、上位レイヤシグナリング（ＲＲＣシグナリング、報知信号等）により、ユーザ端末２０に対して、当該セルにおける通信のための制御情報を通知する。当該セルにおける通信のための情報には、例えば、ＴＤＤセルで利用するＵＬ／ＤＬ構成に関する情報、上り／下りＨＡＲＱ参照用ＵＬ／ＤＬ構成に関する情報、上りリンク又は下りリンクにおけるシステム帯域幅、フィードバック用のリソース情報等が含まれる。
【００８５】
各送受信部１０３は、ベースバンド信号処理部１０４からアンテナ毎にプリコーディングして出力されたベースバンド信号を無線周波数帯に変換する。アンプ部１０２は、周波数変換された無線周波数信号を増幅して送受信アンテナ１０１により送信する。送受信部１０３は、ＴＤＤセルで利用するＵＬ／ＤＬ構成に関する情報等を上位レイヤシグナリング（報知信号、ＲＲＣシグナリング等）で送信する送信部として機能する。
【００８６】
一方、上りリンクによりユーザ端末２０から無線基地局１０に送信されるデータについては、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００８７】
ベースバンド信号処理部１０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００８８】
図１２は、本実施の形態に係る無線基地局１０が有するベースバンド信号処理部１０４の主な機能構成図である。図１２に示すように、無線基地局１０が有するベースバンド信号処理部１０４は、制御部３０１と、ＤＬ信号生成部３０２と、ＵＬ／ＤＬ構成決定部３０３と、ＨＡＲＱ参照用ＵＬ／ＤＬ構成決定部３０４と、マッピング部３０５と、ＵＬ信号復号部３０６と、判定部３０７と、を少なくとも含んで構成されている。
【００８９】
制御部３０１は、ＰＤＳＣＨで送信される下りユーザデータ、ＰＤＣＣＨ及び／又は拡張ＰＤＣＣＨ（ＥＰＤＣＣＨ）で伝送される下り制御情報、下り参照信号等のスケジューリングを制御する。また、制御部３０１は、ＰＵＳＣＨで伝送される上りデータ、ＰＵＣＣＨ又はＰＵＳＣＨで伝送される上り制御情報、上り参照信号のスケジューリングの制御（割当て制御）も行う。上りリンク信号（上り制御信号、上りユーザデータ）の割当て制御に関する情報は、下り制御信号（ＤＣＩ）を用いてユーザ端末に通知される。
【００９０】
具体的に、制御部３０１は、上位局装置３０からの指示情報や各ユーザ端末２０からのフィードバック情報に基づいて、下りリンク信号及び上りリンク信号に対する無線リソースの割り当てを制御する。つまり、制御部３０１は、スケジューラとしての機能を有している。また、無線基地局１０がＴＤＤを利用する場合には、利用するＵＬ／ＤＬ構成や特別サブフレーム構成に基づいて、各サブフレームに対する下りリンク信号及び上りリンク信号の割り当てを制御する。
【００９１】
ＤＬ信号生成部３０２は、制御部３０１により割当てが決定された下り制御信号（ＰＤＣＣＨ信号及び／又はＥＰＤＣＣＨ信号）や下りデータ信号（ＰＤＳＣＨ信号）を生成する。具体的に、ＤＬ信号生成部３０２は、制御部３０１からの指示に基づいて、下りリンク信号の割当て情報を通知するＤＬ割当て（ＤＬ  ａｓｓｉｇｎｍｅｎｔ）と、上りリンク信号の割当て情報を通知するＵＬグラント（ＵＬ  ｇｒａｎｔ）を生成する。
【００９２】
また、ＤＬ信号生成部３０２は、ＵＬ／ＤＬ構成決定部３０３で決定されたＵＬ／ＤＬ構成に関する情報や、ＨＡＲＱ参照用ＵＬ／ＤＬ構成決定部３０４で決定されたＵＬ／ＤＬ構成に関する情報を生成する。また、ＤＬ信号生成部３０２は、上りＨＡＲＱ参照用ＵＬ／ＤＬ構成がＵＬ／ＤＬ１〜６の場合には、ＤＡＩを生成する。
【００９３】
ＵＬ／ＤＬ構成決定部３０３は、ＵＬとＤＬのトラヒック等を考慮してＴＤＤで利用するＵＬ／ＤＬ構成を決定する。なお、ＵＬ／ＤＬ構成決定部３０３は、上位局装置３０等からの情報に基づいてＵＬ／ＤＬ構成を決定することができる。
【００９４】
ＨＡＲＱ参照用ＵＬ／ＤＬ構成決定部３０４は、ダイナミックＴＤＤにおいてＨＡＲＱタイミングとして適用するＵＬ／ＤＬ構成を決定する。例えば、上りＨＡＲＱ参照用ＵＬ／ＤＬ構成としてＵＬ／ＤＬ構成０を選択し、下りＨＡＲＱ参照用ＵＬ／ＤＬ構成としてＵＬ／ＤＬ構成２、４、５を選択することができる。もちろん、選択可能な構成はこれに限られない。
【００９５】
マッピング部３０５は、制御部３０１からの指示に基づいて、ＤＬ信号生成部３０２で生成された下り制御信号と下りデータ信号の無線リソースへの割当てを制御する。
【００９６】
ＵＬ信号復号部３０６は、ユーザ端末から送信されたフィードバック信号（送達確認信号等）を復号し、制御部３０１へ出力する。また、ＵＬ信号復号部３０６は、上り共有チャネル（ＰＵＳＣＨ）でユーザ端末から送信された上りデータ信号を復号し、判定部３０７へ出力する。判定部３０７は、ＵＬ信号復号部３０６の復号結果に基づいて、再送制御判定（ＡＣＫ／ＮＡＣＫ）を行うと共に結果を制御部３０１に出力する。
【００９７】
図１３は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【００９８】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【００９９】
送受信部２０３は、ユーザ端末２０がＴＤＤセルと接続する場合に、ＵＬ／ＤＬ構成に関する情報やＨＡＲＱ参照用ＵＬ／ＤＬ構成に関する情報を受信する受信部として機能する。
【０１００】
一方、上りリンクのユーザデータについては、アプリケーション部２０５からベースバンド信号処理部２０４に入力される。ベースバンド信号処理部２０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１０１】
図１４は、ユーザ端末２０が有するベースバンド信号処理部２０４の主な機能構成図である。図１４に示すように、ユーザ端末２０が有するベースバンド信号処理部２０４は、ＤＬ信号復号部４０１と、ＵＬ／ＤＬ構成選択部４０２と、ＨＡＲＱ参照用ＵＬ／ＤＬ構成選択部４０３と、判定部４０４と、制御部４０５と、ＵＬ信号生成部４０６と、マッピング部４０７と、を少なくとも含んで構成されている。
【０１０２】
ＤＬ信号復号部４０１は、下り制御チャネル（ＰＤＣＣＨ）で送信された下り制御信号（ＰＤＣＣＨ信号）を復号し、スケジューリング情報（上りリソースへの割当て情報）を制御部４０５へ出力する。また、ＤＬ信号復号部４０１は、下り共有チャネル（ＰＤＳＣＨ）で送信された下りデータ信号を復号し、判定部４０４へ出力する。判定部４０４は、ＤＬ信号復号部４０１の復号結果に基づいて、再送制御判定（ＡＣＫ／ＮＡＣＫ）を行うと共に結果を制御部４０５に出力する。
【０１０３】
受信した下りリンク信号にＵＬ／ＤＬ構成に関する情報やＨＡＲＱ参照用ＵＬ／ＤＬ構成に関する情報が含まれている場合には、ＤＬ信号復号部４０１は、復号した情報をＵＬ／ＤＬ構成選択部４０２やＨＡＲＱ参照用ＵＬ／ＤＬ構成選択部４０３に出力する。
【０１０４】
ＵＬ／ＤＬ構成選択部４０２は、無線基地局から通知されるＵＬ／ＤＬ構成に関する情報に基づいて、ユーザ端末が適用するＵＬ／ＤＬ構成を選択する。また、ＵＬ／ＤＬ構成選択部４０２は、適用するＵＬ／ＤＬ構成に関する情報を制御部４０５等に出力する。
【０１０５】
ＨＡＲＱ参照用ＵＬ／ＤＬ構成選択部４０３は、無線基地局から通知される情報に基づいて、ユーザ端末がダイナミックＴＤＤにおいて適用するＨＡＲＱタイミングを選択する。また、ＨＡＲＱ参照用ＵＬ／ＤＬ構成選択部４０３は、選択した上りＨＡＲＱ参照用ＵＬ／ＤＬ構成、及び／又は下りＨＡＲＱ参照用ＵＬ／ＤＬ構成に関する情報を制御部４０５等に出力する。
【０１０６】
制御部４０５は、無線基地局から送信された下り制御信号（ＰＤＣＣＨ信号）や、受信したＰＤＳＣＨ信号に対する再送制御判定結果に基づいて、上り制御信号（フィードバック信号）や上りデータ信号の生成を制御する。下り制御信号はＤＬ信号復号部４０１から出力され、再送制御判定結果は、判定部４０４から出力される。
【０１０７】
また、制御部４０５は、ＵＬ／ＤＬ構成選択部４０２から出力されるＵＬ／ＤＬ構成に関する情報や、ＨＡＲＱ参照用ＵＬ／ＤＬ構成選択部４０３から出力されるＵＬ／ＤＬ構成に関する情報に基づいて、上り制御信号の送信に利用するＰＵＣＣＨフォーマット等を制御する。
【０１０８】
上記第１の態様が適用される場合、制御部４０５は、上りＨＡＲＱ参照用ＵＬ／ＤＬ構成として、ＵＬ／ＤＬ構成１〜６を利用する場合には上りＵＬサブフレームに対する下りデータ信号の送信数とＤＡＩに基づいてＰＵＣＣＨフォーマットを決定する。一方で、制御部４０５は、上りＨＡＲＱ参照用ＵＬ／ＤＬ構成として、ＵＬ／ＤＬ構成０を利用する場合にはＤＡＩに関わらずＵＬサブフレームに対する下りデータ信号の送信数に基づいてＰＵＣＣＨフォーマットを決定する。
【０１０９】
具体的に、制御部４０５は、ＰＵＣＣＨフォーマット３が設定されると共に、上りＨＡＲＱ参照用ＵＬ／ＤＬ構成として、ＵＬ／ＤＬ構成０が設定されている場合、ＵＬサブフレームに対応する下りデータ信号の送信数が１である場合にＰＵＣＣＨフォーマット３からＰＵＣＣＨフォーマット１ａ／１ｂに変更して適用する。
【０１１０】
また、上記第２の態様が適用される場合、制御部４０５は、設定されるＵＬ／ＤＬ構成のＤＬサブフレームの中で、下りＨＡＲＱ参照用ＵＬ／ＤＬ構成のＵＬサブフレームに対応するＤＬサブフレーム数に基づいて、ＰＵＣＣＨフォーマット１ｂに基づくチャネルセレクションにおけるＰＵＣＣＨリソース候補数の設定を制御する。
【０１１１】
このように、制御部４０５は、ＰＤＳＣＨ信号に対する送達確認信号（Ａ／Ｎ）のフィードバックを制御するフィードバック制御部としても機能する。
【０１１２】
ＵＬ信号生成部４０６は、制御部４０５からの指示に基づいて上り制御信号（送達確認信号やチャネル状態情報（ＣＳＩ）等のフィードバック信号）を生成する。また、ＵＬ信号生成部４０６は、制御部４０５からの指示に基づいて上りデータ信号を生成する。
【０１１３】
マッピング部４０７（割当て部）は、制御部４０５からの指示に基づいて、上り制御信号（送達確認信号等）と上りデータ信号の無線リソース（ＰＵＣＣＨ、ＰＵＳＣＨ）への割当てを制御する。
【０１１４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。例えば、上述した複数の態様を適宜組み合わせて適用することができる。従って、本明細書の記載は、例示説明を目的とするものであり、本発明に対して何ら制限的な意味を有するものではない。
【符号の説明】
【０１１５】
１…無線通信システム
１０…無線基地局
１１…無線基地局（マクロ基地局）
１２、１２ａ、１２ｂ…無線基地局（スモール基地局）
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３０１…制御部
３０２…ＤＬ信号生成部
３０３…ＵＬ／ＤＬ構成決定部
３０４…ＨＡＲＱ参照用ＵＬ／ＤＬ構成決定部
３０５…マッピング部
３０６…ＵＬ信号復号部
３０７…判定部
４０１…ＤＬ信号復号部
４０２…ＵＬ／ＤＬ構成選択部
４０３…ＨＡＲＱ参照用ＵＬ／ＤＬ構成選択部
４０４…判定部
４０５…制御部
４０６…ＵＬ信号生成部
４０７…マッピング部
【図１】
2015139106.tif 000004
【図２】
2015139106.tif 000005
【図３】
2015139106.tif 000006
【図４】
2015139106.tif 000007
【図５】
2015139106.tif 000008
【図６】
2015139106.tif 000009
【図７】
2015139106.tif 000010
【図８】
2015139106.tif 000011
【図９】
2015139106.tif 000012
【図１０】
2015139106.tif 000013
【図１１】
2015139106.tif 000014
【図１２】
2015139106.tif 000015
【図１３】
2015139106.tif 000016
【図１４】
2015139106.tif 000017